(57)【要約】【課題】  セキュリティ機器の異常検知を受けて居室親機が予備警報を発報したら、その後警報確定信号を出さなくても一定の時間が経過したら、管理室親機、集合玄関機等の住戸外で警報発報する集合住宅インターホンシステムを提供する。【解決手段】  居室親機２は、セキュリティ機器５が異常を検知したら居室親機２自身で予備警報を発報させると共に制御機４へ予備警報信号を送信し、その後警報復旧操作を受けずに一定時間が経過したら、警報確定信号を制御機４に対して送信する親機ＣＰＵ２５を有する。制御機４は、予備警報信号を基に集合玄関機１、管理室親機３に対して警報発報を通知する制御機ＣＰＵ４３を備え、制御機ＣＰＵ４３は、予備警報信号を受けてスタートした制御機タイマ４２がカウントアップしても居室親機２から警報確定信号を受けなかったら、集合玄関機１及び管理室親機３に対して警報発報を実施させる。【選択図】  図５
2012070335.tif 000002
【特許請求の範囲】
【請求項１】
集合住宅の集合玄関に設置されて住戸を選択して呼び出すための集合玄関機と、各住戸に設置されて前記集合玄関機からの呼び出しに応答するための居室親機と、管理室に設置されて管理者が来訪者や居住者と通話するための管理室親機と、前記集合玄関機、前記居室親機、前記管理室親機をそれぞれ制御する制御機とを有し、前記居室親機には火災センサやドアセンサ等のセキュリティ機器が接続されて成る集合住宅インターホンシステムにおいて、
前記居室親機は、前記セキュリティ機器が異常を検知したら居室親機自身で予備警報を発報させると共に予備警報信号を前記制御機へ送信し、その後警報復旧操作を受けずに一定時間が経過したら、外部で発報させるための警報確定信号を送信し、更に前記一定時間が経過するまでに警報復旧操作を受けたら警報復旧信号を送信する警報制御部を有する一方、前記制御機は、前記予備警報信号を基に前記管理室親機、前記集合玄関機に対して警報発報を実施させる警報発報制御部を備え、
前記警報発報制御部は、前記予備警報信号を受けた後、前記警報復旧信号を受けずに一定時間が経過したら、前記居室親機から前記警報確定信号を受けなくても、前記管理室親機及び／又は前記集合玄関機を警報発報させることを特徴とする集合住宅インターホンシステム。
【請求項２】
前記制御機は、個々の前記居室親機に対して接続状態の診断を行う接続診断部を有し、
前記警報発報制御部は、前記一定時間が経過するまでに前記予備警報信号送信元の居室親機に対して前記接続診断部が接続異常発生と診断したら、その時点で前記管理室親機及び／又は前記集合玄関機を警報発報させることを特徴とする請求項１記載の集合住宅インターホンシステム。
【発明の詳細な説明】
【技術分野】
【０００１】
本発明は集合住宅インターホンシステムに関し、特に居室親機に火災センサやガスセンサ等の異常検知器やドアセンサや窓センサ等の防犯センサが接続されて、異常発生時に住戸内及び管理室等で発報する機能を備えた集合住宅インターホンシステムに関する。
【背景技術】
【０００２】
従来より居室親機に火災センサやガスセンサ等の異常検知器やドアセンサや窓センサ等の防犯センサ（以下、これら異常検知器や防犯センサを一括して「セキュリティ機器」と称する。）が接続されて、異常発生時に住戸内及び管理室等で発報する機能を備えた集合住宅インターホンシステムがある。
このような集合住宅インターホンシステムでは、集合玄関機や管理室親機に対する不要な発報（例えば、セキュリティ機器の誤検知や、居住者が帰宅時に防犯設定中の玄関を解錠した場合の発報など）を行わないようにするために、居室親機が各種センサから接点出力を受け取った場合に、まず予備警報の発報を行う。予備警報は居住者宅内でのみ発報され、居室親機にて発報された。この発報に対して一定時間経過しても警報復旧が行われない場合は、誤報ではないと判断して本警報の発報に移行する。本警報では外部での発報を伴い、居室親機から制御機へ警報確定が通知され、制御機から管理室親機や集合玄関機へ警報発報信号が伝送され、外部でも警報発報が実施される。
【先行技術文献】
【特許文献】
【０００３】
【特許文献１】特開２００３−１４３３０７号公報
【発明の概要】
【発明が解決しようとする課題】
【０００４】
しかしながら、上記従来の集合住宅インターホンシステムは、居住者宅内で予備警報の発報中に制御機に信号を伝送する伝送線が切断されたら、居室親機が予備警報発報後から一定時間経過して本警報の発報に移行しても、警報確定の通知が伝送されなかった。また、居室親機の電源線が切断されて居室親機への電源供給がなくなった場合は、一定時間経過しても警報確定の通知自体できなかった。そのため、異常が発生した場合に管理室親機や集合玄関機で警報発報を行うよう構成されても、このような外部での警報が実施されない場合があった。
【０００５】
そこで、本発明はこのような問題点に鑑み、セキュリティ機器の異常検知を受けて居室親機が予備警報を発報したら、その後警報確定信号を出さなくても一定の時間が経過したら、管理室親機、集合玄関機等の住戸外で警報発報する集合住宅インターホンシステムを提供することを目的とする。
【課題を解決するための手段】
【０００６】
上記課題を解決する為に、請求項１の発明は、集合住宅の集合玄関に設置されて住戸を選択して呼び出すための集合玄関機と、各住戸に設置されて集合玄関機からの呼び出しに応答するための居室親機と、管理室に設置されて管理者が来訪者や居住者と通話するための管理室親機と、集合玄関機、居室親機、管理室親機をそれぞれ制御する制御機とを有し、居室親機には火災センサやドアセンサ等のセキュリティ機器が接続されて成る集合住宅インターホンシステムにおいて、居室親機は、セキュリティ機器が異常を検知したら居室親機自身で予備警報を発報させると共に予備警報信号を制御機へ送信し、その後警報復旧操作を受けずに一定時間が経過したら、外部で発報させるための警報確定信号を送信し、更に一定時間が経過するまでに警報復旧操作を受けたら警報復旧信号を送信する警報制御部を有する一方、制御機は、予備警報信号を基に管理室親機、集合玄関機に対して警報発報を実施させる警報発報制御部を備え、警報発報制御部は、予備警報信号を受けた後、警報復旧信号を受けずに一定時間が経過したら、居室親機から警報確定信号を受けなくても、管理室親機及び／又は集合玄関機を警報発報させることを特徴とする。
この構成によれば、セキュリティ機器が異常を検知したら居室親機から出力される予備警報信号を基に管理室親機や集合玄関機が警報発報するので、警報確定信号が送信されなくても住戸外で警報発報を実施できる。そのため、侵入した不審者が居室親機を取り外す等の伝送線や電源線の切断操作をしても、外部に異常発生を通知できる。
【０００７】
請求項２の発明は、請求項１に記載の構成において、制御機は、個々の居室親機に対して接続状態の診断を行う接続診断部を有し、警報発報制御部は、一定時間が経過するまでに予備警報信号送信元の居室親機に対して接続診断部が接続異常発生と診断したら、その時点で管理室親機及び／又は集合玄関機を警報発報させることを特徴とする。
この構成によれば、予備警報信号を出力してから一定時間が経過するまでに、予備警報信号送信元の居室親機に対して接続異常が発生したら、外部で発報動作してそれを通知する。よって、異常発生を速やかに通知できる。
【発明の効果】
【０００８】
本発明によれば、セキュリティ機器が異常を検知したら出力される予備警報信号を基に管理室親機や集合玄関機が警報発報するので、警報確定信号が送信されなくても住戸外で警報発報を実施できる。そのため、侵入した不審者が居室親機を取り外す等の伝送線や電源線の切断操作をしても、外部に異常発生を通知できる。
【図面の簡単な説明】
【０００９】
【図１】本発明に係る集合住宅インターホンシステムの一例を示す構成図である。
【図２】集合玄関機の一部回路ブロック図である。
【図３】居室親機の一部回路ブロック図である。
【図４】管理室親機の一部回路ブロック図である。
【図５】制御機の一部回路ブロック図である。
【発明を実施するための形態】
【００１０】
以下、本発明を具体化した実施の形態を、図面に基づいて詳細に説明する。図１は本発明に係る集合住宅インターホンシステムの一例を示す構成図であり、１は集合住宅の集合玄関に設置されて来訪者が訪問先の住戸を選択して呼び出すための集合玄関機、２は各住戸に設置されて集合玄関機１からの呼び出しに応答するための居室親機、３は管理室に設置されて管理者が来訪者や居住者と通話するための管理室親機、４は集合玄関機１、居室親機２、管理室親機３をそれぞれ制御する制御機、５は住戸毎に居室親機２に接続されたセキュリティ機器である。セキュリティ機器５は、火災発生を検知する火災センサ５ａや、ドアの開閉を検知するドアセンサ５ｂ等であり、異常を検知したら異常検知信号を出力する。
集合玄関機１は伝送線Ｌ１を介して制御機４に接続され、居室親機２は親機幹線Ｌ２により制御機４に接続され、管理室親機３は伝送線Ｌ３により制御機４に接続されている。
【００１１】
図２は集合玄関機１の回路ブロックの一部を示している。図２に示すように集合玄関機１は、異常発生を通知するための警報音を出力するスピーカ１１、異常発生元の情報等を表示する表示部１２、集合玄関機１全体の制御を行う集合玄関機ＣＰＵ１３、制御機４と通信を行うための集合玄関機ＩＦ１４等を備えている。
【００１２】
図３は居室親機２の回路ブロックの一部を示している。図３に示すように居室親機２は、接続されているセキュリティ機器５が異常を検知した場合に警報音を出力するスピーカ２１、警報発報の種別等を表示する表示部２２、セキュリティ機器５から受信した異常検知信号を警報情報として記憶する警報記憶部２３、居室親機２内で使用する一定時間をカウントする親機タイマ２４、居室親機２全体の制御を行う親機ＣＰＵ２５、制御機４と通信を行うための親機ＩＦ２６、セキュリティ機器５を接続するためのセンサＩＦ２７等を備えている。
【００１３】
図４は管理室親機３の回路ブロックの一部を示している。図４に示すように管理室親機３は、異常発生を通知するための警報音を出力するスピーカ３１、異常発生元の情報等を表示する表示部３２、管理室親機３全体の制御を行うための管理室親機ＣＰＵ３３、制御機４との通信を行う管理室親機ＩＦ３４等を備えている。
【００１４】
図５は制御機４の回路ブロックの一部を示している。図５に示すように制御機４は、居室親機２から受信したセキュリティ機器５の動作情報（後述する予備警報情報等）を記憶する警報記憶部４１、制御機４内で使用する一定時間をカウントする制御機タイマ４２、制御機４全体の制御を行う制御機ＣＰＵ４３、集合玄関機１と通信を行なうための第１ＩＦ４４、居室親機２と通信を行なうための第２ＩＦ４５、管理室親機３と通信を行なうための第３ＩＦ４６等を備えている。尚、制御機ＣＰＵ４３は、制御機各部の制御に加えて、各居室親機２，２，・・に対して例えばポーリング処理による接続診断を実施し、接続異常を検出したらそれを管理室親機３に通知する接続診断機能を備えている。
【００１５】
次に、上記構成の集合住宅インターホンシステムの動作を説明する。但し、集合玄関機１からの呼び出し、呼び出しを受けた居室親機２からの応答操作等の集合住宅インターホンシステムの基本動作は従来と同様であるため説明を省略し、ここでは居室親機２に接続されているセキュリティ機器５が異常を検知した場合の動作を説明する。
【００１６】
セキュリティ機器５から異常検知信号が出力されると、例えば玄関ドアに設置されたドアセンサ５ｂが玄関ドアの開操作を検知して異常検知信号が出力されると、居室親機２に送信される。この異常検知信号を受信した居室親機２は、親機ＣＰＵ２５が予備警報として居住者宅内でのみの発報を実施し、警報記憶部２３へ予備警報情報を記憶する。尚、このとき記憶される予備警報情報には、異常検知信号を発したセキュリティ機器５のドアセンサ等の警報種別情報や、受信した時刻情報等が含まれている。
【００１７】
居住者宅内での発報は、居室親機２の表示部２２へ予備警報であることを知らせる情報の表示と、スピーカ２１から予備警報であることを知らせる警報音の報音で実施される。更に親機ＣＰＵ２５は、制御機４へ予備警報信号を送信し、親機タイマ２４をスタートさせる。親機タイマ２４は外部で警報発報させる発報確定までの時間をカウントする。また、予備警報信号が具備する予備警報情報は、異常検知信号を発したセキュリティ機器５の警報種別情報や、送信元の住戸情報（居室親機情報）等である。
【００１８】
予備警報信号を受信した制御機４は、制御機ＣＰＵ４３が予備警報情報を警報記憶部４１へ記憶させ、制御機タイマ４２のカウントをスタートさせ、発報確定信号の待ち時間をカウントする。具体的に制御機タイマ４２は、居室親機２の親機タイマ２４がカウントしている発報確定までの時間よりも僅かに長い時間をカウントする。
【００１９】
その後、警報が誤報である等の理由で居住者により所定のリセット操作、即ち復旧操作が成されることなく、親機タイマ２４がカウントアップしたら、親機ＣＰＵ２５が発報確定信号を制御機４に出力する。この発報確定信号を受信した制御機ＣＰＵ４３は、管理室親機３及び集合玄関機１に発報確定信号を送信して警報発報させる。この発報確定信号には、予備警報信号と同様に送信元住戸情報、警報種別情報が添付されており、発報信号を受信した集合玄関機ＣＰＵ１３、及び管理室親機ＣＰＵ３３は、スピーカ１１，３１から警報音を発報させると同時に、発報情報を読み取って表示部１２，３２において異常発生住戸情報や警報種別情報を表示させる。
【００２０】
以上は、制御機４が予備警報信号送信元の居室親機２から、その後発報確定信号を正常に受信した場合の動作であるが、予備警報信号送信元の居室親機２の親機タイマ２４がカウント中の時に、この居室親機２と制御機４との間で断線等の通信異常が発生した場合は次のように動作する。
予備警報信号送信元の居室親機２から、復旧操作による復旧信号や発報確定信号を受信すること無く、制御機タイマ４２がカウントアップしたら、制御機ＣＰＵ４３は警報記憶部４１に記憶されている居室親機２の予備警報情報を読み出し、発報認定信号を作成する。この発報認定信号は、発報確定信号と同様の信号であり、警報記憶部４１へ記憶されるとともに、管理室親機３及び集合玄関機１へ送信される。
【００２１】
発報認定信号を受信した管理室親機３は、管理室親機ＣＰＵ３３の制御で発報確定情報を受けた場合と同様に、警報発報中の居室番号や警報種別情報を表示部３２へ表示させ、スピーカ３１から警報音を出力させる。また、発報認定信号を受信した集合玄関機１は、集合玄関機ＣＰＵ１３の制御で、同様に警報発報中の居室番号や警報種別情報を表示部１２へ表示させ、スピーカ１１から警報音を出力させる。こうして、予備警報信号が送信された後、復旧信号が送信されることなく一定の時間が経過したら、自動的に居室親機２以外で警報発報が実施される。
【００２２】
一方、制御機ＣＰＵ４３は、予備警報信号受信の有無に関わらず居室親機２に対する接続診断を実施している。制御機タイマ４２がカウント中で、発報確定信号待ちの時に接続診断により接続異常を検出したら、以下のように動作する。
制御機ＣＰＵ４３は、検出した居室親機２が予備警報信号送信元でないか警報記憶部４１に確認する。予備警報信号送信元の居室親機２が接続異常検知対象の端末であることが判明したら、警報記憶部４１に記憶されている居室親機２の予備警報情報を読み出して上述した発報認定信号を作成し、管理室親機３及び集合玄関機１へ送信する。また、発報認定信号が具備する発報認定情報は警報記憶部４１へ記憶し、制御機タイマ４２によるカウントを停止する。
【００２３】
発報認定信号を受信した管理室親機ＣＰＵ３３は、発報確定情報を受けた場合と同様に、警報発報中の居室番号や警報種別情報を表示部３２へ表示させ、スピーカ３１から警報音を出力させる。また、発報認定信号を受信した集合玄関機ＣＰＵ１３も同様に、警報発報中の居室番号や警報種別情報を表示部１２へ表示させ、スピーカ１１から警報音を出力させる。尚、接続異常を検知した対象の居室親機２が予備警報信号送信元の居室親機２ではない場合は、通常通り管理室親機３に通知される。
【００２４】
このように、セキュリティ機器５が異常を検知したら出力される予備警報信号を基に管理室親機３や集合玄関機１が警報発報するので、警報確定信号が送信されなくても住戸外で警報発報を実施できる。そのため、侵入した不審者が居室親機２を取り外す等の伝送線Ｌ２や電源線の切断操作をしても、外部に異常発生を通知できる。
また、予備警報信号を出力してから一定時間が経過するまでに、予備警報信号送信元の居室親機２に対して接続異常発生と判断したら、外部で発報動作してそれを通知するので、異常発生を速やかに通知できる。
【００２５】
尚、上記実施形態では、制御機ＣＰＵ４３にて作成された発報認定信号を管理室親機３及び集合玄関機１に対して送信しているが、送信先は何れか一方のみであっても良いし、更に全ての居室親機２，２，・・を加えても良い。
また、親機タイマ２４の設定時間に対して制御機タイマ４２の設定時間を僅かに長く設定しているが、ここで言う「僅かに長い」とは１秒程度であり、親機タイマ２４の設定時間を例えば３０秒とすると、制御機タイマ４２の設定時間は例えば３１秒となる。更に、殆ど差のない時間で設定しても良く、双方の設定時間を同一としても良い。但し、制御機タイマ４２の方を親機タイマ２４より短くすると、復旧操作を受けたにもかかわらず発報する場合が発生するため好ましくない。
【符号の説明】
【００２６】
１・・集合玄関機、２・・居室親機、３・・管理室親機、４・・制御機、５・・セキュリティ機器、１１・・スピーカ、１２・・表示部、１３・・集合玄関機ＣＰＵ、２１・・スピーカ、２２・・表示部、２３・・警報記憶部、２５・・親機ＣＰＵ（警報制御部）、３１・・スピーカ、３２・・表示部、３３・・管理室親機ＣＰＵ、４１・・制御機記憶部、４２・・制御機タイマ、４３・・制御機ＣＰＵ（警報発報制御部、接続診断部）。
【図１】
2012070335.tif 000003
【図２】
2012070335.tif 000004
【図３】
2012070335.tif 000005
【図４】
2012070335.tif 000006
【図５】
2012070335.tif 000007